(57)【要約】【課題】ある場所を高い確度で特定し、その場所についての情報を提供することができる情報提供装置、その情報を記録紙にプリントして提供するプリントシステム、コンピュータを上記の情報提供装置として動作させる情報提供プログラム、および、その情報提供プログラムが記憶された情報提供プログラム記憶媒体を提供する。【解決手段】位置情報が表す撮影位置が含まれる所定の探索エリアを決定するエリア決定部６２０と、各店舗に１つ以上の参照画像３０６と１つ以上の店舗関連情報３０７とが対応付けられている複数の店舗のうちの、探索エリア内の１つ以上の店舗の中から、各店舗に対応付けられている参照画像３０６と撮影画像との類似の程度に基づいて１つの店舗を決定する店舗決定部６３０とを備えた。【選択図】        図８
2006202136.tif 000002
【特許請求の範囲】
【請求項１】
撮影によって得られた撮影画像と、その撮影における撮影位置を表わす位置情報とを取得する取得部と、
前記位置情報が表す撮影位置が含まれる所定の探索エリアを決定するエリア決定部と、
各場所に１つ以上の画像と１つ以上の情報とが対応付けられている複数の場所のうちの、前記探索エリア内の１つ以上の場所の中から、各場所に対応付けられている画像と前記撮影画像との類似の程度に基づいて１つの場所を決定する場所決定部と、
前記場所決定部によって決定された１つの場所に対応付けられている情報を出力する出力部とを備えたことを特徴とする情報提供装置。
【請求項２】
前記出力部が、前記１つの場所に対応付けられている情報をプリンタに出力するものであることを特徴とする請求項１記載の情報提供装置。
【請求項３】
前記取得部が、前記撮影画像と前記位置情報とを、提供元から通信ネットワークを介して取得するものであり、
前記出力部が、前記１つの場所に対応付けられている情報を前記通信ネットワークを介して前記提供元に向けて出力するものであることを特徴とする請求項１記載の情報提供装置。
【請求項４】
前記位置情報が、前記撮影位置の緯度、経度、および高度を表わすものであり、
前記エリア決定部が、前記位置情報が表わす緯度および経度が表わす場所にある建築物を特定し、さらに、その特定した建築物について、前記位置情報が表わす高度に対応する１つ以上のフロアを前記探索エリアとして決定するものであることを特徴とする請求項１記載の情報提供装置。
【請求項５】
前記場所決定部によって決定された１つの場所を示す俯瞰図を作成する俯瞰図作成部を備え、
前記出力部が、前記情報に加えて、前記俯瞰図作成部によって作成された俯瞰図も出力するものであることを特徴とする請求項１記載の情報提供装置。
【請求項６】
撮影によって得られた撮影画像と、その撮影における撮影位置を表わす位置情報とを取得する取得部と、
前記位置情報が表す撮影位置が含まれる所定の探索エリアを決定するエリア決定部と、
各場所に１つ以上の画像と１つ以上の情報とが対応付けられている複数の場所のうちの、前記探索エリア内の１つ以上の場所の中から、各場所に対応付けられている画像と前記撮影画像との類似の程度に基づいて１つの場所を決定する場所決定部と、
前記場所決定部によって決定された１つの場所に対応付けられている情報を出力する出力部とを備えた情報提供装置、および、
前記記録紙の一方の面に、前記取得部によって取得された撮影画像をプリントし、その面の裏面に、前記出力部によって出力された情報をプリントするプリンタを備えたことを特徴とするプリントシステム。
【請求項７】
コンピュータに組み込まれ、該コンピュータ上で、
撮影によって得られた撮影画像と、その撮影における撮影位置を表わす位置情報とを取得する取得部と、
前記位置情報が表す撮影位置が含まれる所定の探索エリアを決定するエリア決定部と、
各場所に１つ以上の画像と１つ以上の情報とが対応付けられている複数の場所のうちの、前記探索エリア内の１つ以上の場所の中から、各場所に対応付けられている画像と前記撮影画像との類似の程度に基づいて１つの場所を決定する場所決定部と、
前記場所決定部によって決定された１つの場所に対応付けられている情報を出力する出力部とを構築することを特徴とする情報提供プログラム。
【請求項８】
コンピュータに組み込まれ、該コンピュータ上で、
撮影によって得られた撮影画像と、その撮影における撮影位置を表わす位置情報とを取得する取得部と、
前記位置情報が表す撮影位置が含まれる所定の探索エリアを決定するエリア決定部と、
各場所に１つ以上の画像と１つ以上の情報とが対応付けられている複数の場所のうちの、前記探索エリア内の１つ以上の場所の中から、各場所に対応付けられている画像と前記撮影画像との類似の程度に基づいて１つの場所を決定する場所決定部と、
前記場所決定部によって決定された１つの場所に対応付けられている情報を出力する出力部とを構築する情報提供プログラムが記憶されてなることを特徴とする情報提供プログラム記憶媒体。
【発明の詳細な説明】
【技術分野】
【０００１】
本発明は、撮影画像に関わる関連情報を提供する情報提供装置、関連情報を記録紙にプリントするプリントシステム、コンピュータを上記の情報提供装置として動作させる情報提供プログラム、および、その情報提供プログラムが記憶された情報提供プログラム記憶媒体に関する。
【背景技術】
【０００２】
従来より、専用の人工衛星により目標物の位置を計測する、いわゆるＧＰＳ（グローバル・ポジショニング・システム）が、主にカーナビゲーションへの応用を中心に一般に普及している。近年、このＧＰＳの、カーナビゲーション以外の技術への応用が盛んに行なわれるようになっている。
【０００３】
例えば、デジタルカメラやカメラ付携帯電話機等といった撮影装置に、ＧＰＳにより位置情報を取得するＧＰＳ装置を搭載し、撮影の際に、撮影画像とともに撮影位置も取得するという技術が提案されている。
【０００４】
また、例えば、ＧＰＳ装置が搭載された撮影装置で撮影が行なわれた際に、その撮影位置に関連した、例えば撮影位置の地名や所在地等といった情報を、ＧＰＳによる位置情報に基づいて取得して撮影者に提供するという技術が提案されている（例えば、特許文献１参照。）。
【０００５】
また、例えば、上記のＧＰＳ装置と、向きや傾斜角等といった姿勢情報を取得する姿勢センサとが搭載された携帯端末を用意し、ユーザがその携帯端末を例えば店舗等といった場所に向けると、携帯端末で得られる位置情報と姿勢情報とに基づいてその場所を特定し、その特定された場所に関連した例えば店舗案内等といった情報を携帯端末のユーザに提供するという技術が提案されている（例えば、特許文献２参照。）。
【特許文献１】特開２００３−３３７７７４号公報（第４−１０頁、図１）
【特許文献２】特開２００２−２３８０８０号公報（第３−１９頁、図４）
【発明の開示】
【発明が解決しようとする課題】
【０００６】
ここで、特許文献１や特許文献２に示されているように、上記の撮影位置や上記の携帯端末が向けられた場所を特定して情報を提供するに当たり、ＧＰＳによる位置情報は、場所を特定するための有効な手掛かりとなる。しかしながら、一般に普及しているＧＰＳで得られる位置情報には、特に建物の中等では数メートルに及ぶ誤差が含まれる場合があり、そのような誤差を含む位置情報に基づくと場所の特定が不正確なものとなり、結果的に、誤った情報が提供されてしまう恐れがある。
【０００７】
本発明は、上記事情に鑑み、ある場所を高い確度で特定し、その場所についての情報を提供することができる情報提供装置、その情報を記録紙にプリントして提供するプリントシステム、コンピュータを上記の情報提供装置として動作させる情報提供プログラム、および、その情報提供プログラムが記憶された情報提供プログラム記憶媒体を提供することを目的とする。
【課題を解決するための手段】
【０００８】
上記目的を達成する本発明の情報提供装置は、撮影によって得られた撮影画像と、その撮影における撮影位置を表わす位置情報とを取得する取得部と、
上記位置情報が表す撮影位置が含まれる所定の探索エリアを決定するエリア決定部と、
各場所に１つ以上の画像と１つ以上の情報とが対応付けられている複数の場所のうちの、上記探索エリア内の１つ以上の場所の中から、各場所に対応付けられている画像と上記撮影画像との類似の程度に基づいて１つの場所を決定する場所決定部と、
上記場所決定部によって決定された１つの場所に対応付けられている情報を出力する出力部とを備えたことを特徴とする。
【０００９】
本発明の情報提供装置によれば、上記位置情報に基づいて決定されるのは、最終的に決定される場所の候補が含まれる探索エリアである。従って、上記位置情報に誤差が含まれていたとしても、その誤差を含む位置情報に基づいて得られるのは上記場所の候補に過ぎず、最終的には、各候補に対応付けられている画像と撮影画像との類似の程度という別の手掛かりに基づいて候補が１つに絞られる。例えば、そのような絞込みの際に撮影画像と比較される画像として、店舗の看板や店舗の外観等といった、場所の特徴を良く表わし、かつ撮影者が撮影する可能性の高い被写体を捉えた画像を用いれば絞込みの確度は高まることとなる。本発明の情報提供装置によれば、このような画像の登録が可能であり、探索エリア内の場所の候補に対する確度の高い絞込みを容易に実現することができる。つまり、本発明の情報提供装置によれば、ある場所を高い確度で特定し、その場所についての情報を提供することができる。
【００１０】
ここで、本発明の情報提供装置は、「上記出力部が、上記１つの場所に対応付けられている情報をプリンタに出力するものである」という形態であっても良く、あるいは、
「上記取得部が、上記撮影画像と上記位置情報とを、提供元から通信ネットワークを介して取得するものであり、
上記出力部が、上記１つの場所に対応付けられている情報を上記通信ネットワークを介して上記提供元に向けて出力するものである」という形態であっても良い。
【００１１】
前者の形態の情報提供装置によれば、特定された１つの場所についての情報をプリントして撮影者に提供するというサービスを行なうことができ、後者の形態の情報提供装置によれば、上記の情報を上記通信ネットワークを介して撮影者に提供するというサービスを行なうことができる。
【００１２】
また、本発明の情報提供装置において、「上記位置情報が、上記撮影位置の緯度、経度、および高度を表わすものであり、
上記エリア決定部が、上記位置情報が表わす緯度および経度が表わす場所にある建築物を特定し、さらに、その特定した建築物について、上記位置情報が表わす高度に対応する１つ以上のフロアを上記探索エリアとして決定するものである」という形態は好ましい形態である。
【００１３】
この好ましい形態の情報提供装置によれば、例えばＧＰＳ等で得られる３次元の位置情報を効率的に利用して上記探索エリアを決定することができる。
【００１４】
また、本発明の情報提供装置において、「前記場所決定部によって決定された１つの場所を示す俯瞰図を作成する俯瞰図作成部を備え、
前記出力部が、前記情報に加えて、前記俯瞰図作成部によって作成された俯瞰図も出力するものである」という形態も好ましい形態である。
【００１５】
この好ましい形態の情報提供装置によれば、上記俯瞰図によって、上記場所決定部によって決定された１つの場所を一目瞭然に図示して提供することができる。
【００１６】
また、上記目的を達成する本発明のプリントシステムは、撮影によって得られた撮影画像と、その撮影における撮影位置を表わす位置情報とを取得する取得部と、
上記位置情報が表す撮影位置が含まれる所定の探索エリアを決定するエリア決定部と、
各場所に１つ以上の画像と１つ以上の情報とが対応付けられている複数の場所のうちの、上記探索エリア内の１つ以上の場所の中から、各場所に対応付けられている画像と上記撮影画像との類似の程度に基づいて１つの場所を決定する場所決定部と、
上記場所決定部によって決定された１つの場所に対応付けられている情報を出力する出力部とを備えた情報提供装置、および、
上記記録紙の一方の面に、上記取得部によって取得された撮影画像をプリントし、その面の裏面に、上記出力部によって出力された情報をプリントするプリンタを備えたことを特徴とする。
【００１７】
本発明のプリントシステムによれば、撮影者が撮影した撮影画像に関連して１つに特定された場所についての情報を、その撮影画像が表面にプリントされた写真の裏面にプリントして提供するというサービスを行なうことができる。
【００１８】
また、上記目的を達成する本発明の情報提供プログラムは、コンピュータに組み込まれ、そのコンピュータ上で、
撮影によって得られた撮影画像と、その撮影における撮影位置を表わす位置情報とを取得する取得部と、
上記位置情報が表す撮影位置が含まれる所定の探索エリアを決定するエリア決定部と、
各場所に１つ以上の画像と１つ以上の情報とが対応付けられている複数の場所のうちの、上記探索エリア内の１つ以上の場所の中から、各場所に対応付けられている画像と上記撮影画像との類似の程度に基づいて１つの場所を決定する場所決定部と、
上記場所決定部によって決定された１つの場所に対応付けられている情報を出力する出力部とを構築することを特徴とする。
【００１９】
この本発明の情報提供プログラムによれば、上述した、ある場所を高い確度で特定し、その場所についての情報を提供する情報提供装置を容易に実現することができる。
【００２０】
また、上記目的を達成する本発明の情報提供プログラム記録媒体は、コンピュータに組み込まれ、そのコンピュータ上で、
撮影によって得られた撮影画像と、その撮影における撮影位置を表わす位置情報とを取得する取得部と、
上記位置情報が表す撮影位置が含まれる所定の探索エリアを決定するエリア決定部と、
各場所に１つ以上の画像と１つ以上の情報とが対応付けられている複数の場所のうちの、上記探索エリア内の１つ以上の場所の中から、各場所に対応付けられている画像と上記撮影画像との類似の程度に基づいて１つの場所を決定する場所決定部と、
上記場所決定部によって決定された１つの場所に対応付けられている情報を出力する出力部とを構築する情報提供プログラムが記憶されてなることを特徴とする。
【００２１】
本発明の記録媒体は、ＦＤ（フレキシブルディスク）、ＣＤ−Ｒ、ＣＤ−ＲＷ、ＭＯ、ＤＶＤ等といった記憶媒体の他、ハードディスクやメモリチップ等であっても良い。
【００２２】
なお、本発明のプリントシステム、本発明の情報提供プログラム、および本発明の情報提供プログラム記録媒体については、ここではその基本形態のみを示すのにとどめるが、これは単に重複を避けるためであり、本発明のプリントシステム、本発明の情報提供プログラム、および本発明の情報提供プログラム記録媒体には、前述した情報提供装置の各形態に対応する各種の形態が含まれる。
【発明の効果】
【００２３】
以上、説明したように、本発明によれば、ある場所を高い確度で特定し、その場所についての情報を提供することができる情報提供装置、取得した情報を記録紙にプリントして提供するプリントシステム、コンピュータを上記の情報提供装置として動作させる情報提供プログラム、および、その情報提供プログラムが記憶された情報提供プログラム記憶媒体を提供することができる。
【発明を実施するための最良の形態】
【００２４】
以下図面を参照して本発明の実施の形態を説明する。
【００２５】
図１は、撮影者が撮影画像と位置情報とを取得する様子を示す模式図である。
【００２６】
図１には、撮影者Ｙが、あるビルＢの１８階にある１つの店舗Ｓの特徴を示す被写体として、その店舗Ｓの看板や外観等を、ＧＰＳにより位置情報を取得するＧＰＳ装置が搭載されたカメラ付携帯電話機（以降、単にカメラ付携帯電話機と呼ぶ）３０を用いて撮影している様子が示されている。この撮影の際には、カメラ付携帯電話機３０では、撮影位置が、緯度、経度、および高度で表わされる３次元の位置情報として取得され撮影画像に付加される。
【００２７】
以下、この位置情報付の撮影画像を用いて、その撮影画像に撮影されている被写体が特徴を表わす店舗を高い確度で特定し、その店舗についての情報をプリントして提供する、本発明のプリントシステムの一実施形態について説明する。
【００２８】
まず、本発明のプリントシステムについて説明する。
【００２９】
図２は、本発明のプリントシステムの一実施形態である情報提供システムを示すブロック図である。
【００３０】
図２に示す情報提供システム１では、まず、写真店に持ち込まれた上記の位置情報付の撮影画像Ｇに基づいて１つの店舗が特定される。そして、その店舗についての、例えば店舗案内等といった関連情報Ｊが取得される。ここで、店舗が、本発明にいう場所の一例に相当する。
【００３１】
情報提供システム１では、特定された１つの店舗の位置を図示する俯瞰図が作成され、さらに、その俯瞰図と関連情報Ｊとからなる裏面画像Ｇｒが作成される。最後に、１枚の記録紙の表面に撮影画像Ｇがプリントされ裏面に裏面画像Ｇｒがプリントされて裏プリント付写真Ｐが作成される。この情報提供システム１は、サーバ１００、画像形成システム２０、通信ネットワーク２５、およびデータベース３００で構成されている。
【００３２】
ここで、サーバ１００は、後述するように本発明の情報提供装置の第１実施形態として動作するものである。また、画像形成システム２０は、本発明にいうプリンタの一例に相当する。
【００３３】
また、データベース３００には、様々な店舗について、１つ以上の関連情報Ｊと、その店舗の特徴を表わす看板や外観等を撮影した１つ以上の参照画像とが、各店舗に対応付けられて格納されている。この情報提供システム１では、特定された店舗についての関連情報Ｊが、このデータベース３００から取得される。さらに、このデータベース３００には、上記の様々な店舗の全てを含む地域を、緯度、経度、および高度で示す立体地図も格納されている。情報提供システム１では、この立体地図から上記の俯瞰図が作成される。
【００３４】
このデータベース３００、および俯瞰図の詳細については後述する。
【００３５】
この図２に示す情報提供システム１では、撮影者は、写真店にプリントを注文して、撮影画像Ｇが表面にプリントされ、その撮影画像Ｇに関連して特定された１つの店舗についての関連情報Ｊを含む裏面画像Ｇｒが裏面にプリントされた裏プリント付写真Ｐを受け取ることとなる。
【００３６】
次に、図２に示したサーバ１００と、画像形成システム２０それぞれの詳細について説明する。
【００３７】
まず、画像形成システム２０について説明する。
【００３８】
図３は、撮影画像をプリントする画像形成システムの外観斜視図である。
【００３９】
画像形成システム２０は、入力された撮影画像に所定の画像補正処理を施してから、撮影画像を写真やＣＤ−ＲＯＭなどに記録する装置である。また、この画像形成システム２０では、撮影画像とともに、上記の裏面画像が入力された場合に上記の裏プリント付写真Ｐの作成が実行される。
【００４０】
この画像形成システム２０は、画像入力機４００と、プリンタ２００とで構成されている。
【００４１】
画像入力機４００は、現像済みのフィルムからそのフィルムに記録された複数の撮影画像を光電的にコマごとに順次読み取るスキャナ４１０と、撮影画像に対し所定の画像補正処理を行う画像処理装置４２０とを備えている。
【００４２】
画像処理装置４２０は、ＣＰＵやハードディスク等が内蔵された本体４６０、この本体４６０からの指示により表示画面上に画像や文字列の表示を行うＣＲＴディスプレイ４３０、このコンピュータにユーザの指示や文字情報を入力するためのキーボード４４０、上記ＣＲＴディスプレイ４３０の表示画面上の任意の位置を指定することにより、その位置に表示されているアイコン等に応じた指示を入力するマウス４５０を備えている。
【００４３】
この画像処理装置４２０には、入力された撮影画像に所定の画像補正処理を施す画像補正装置としての機能が備えられている。この画像補正処理としては、蛍光灯の下で撮影された画像が全体的に白っぽくなってしまう白カブリを補正する処理や、閃光が網膜の奥で反射して目が赤色や金色に写ってしまう赤目や金目を修正する処理や、閃光によって目をつぶってしまう目瞑りを修正する処理、空の色や肌の色を見た目に好ましい色に修正する処理、および階調補正処理などが存在する。
【００４４】
また、プリンタ２００は、トナーによって用紙上に画像を形成する電子写真方式が適用されたプリンタである。このプリンタ２００は、プリンタ２００を構成する各種要素を制御する制御部２１０と、用紙上にトナー画像を形成する作像部２２０とを備えている。
【００４５】
以下に、プリンタ２００の構成、およびプリンタ２００に伝達された撮影画像や裏面画像を写真にプリントする一連の手順について説明する。
【００４６】
図４は、図３に示すプリンタの内部構造を示す模試図である。
【００４７】
このプリンタ２００は、イエロー（Ｙ）、マゼンタ（Ｍ）、シアン（Ｃ）、およびブラック（Ｂ）の４色のトナーを用いて画像を形成するプリンタであり、単色の画像をプリントすることができるほか、かかる４色のトナー像からなるフルカラーの画像をプリントすることができる。
【００４８】
図３にも示す制御部２１０内に備えられたレーザ光変調部２１１では、画像処理装置４２０から送られてきた撮影画像に基づいて、レーザから出射されるレーザ光が変調される。
【００４９】
矢印Ａ方向に回転する像担持体ロール２２２は、帯電ロール２２３によって表面が帯電され、その帯電された像担持体ロール２２２の表面を、露光部２２１が変調されたレーザ光で走査露光する。これにより、像担持体ロール２２２の表面に所定の表面電位からなる静電潜像が形成される。
【００５０】
現像ユニット２２４には、内部に９０°間隔で配置された、ＹＭＣＢ各色の現像装置２２４Ｙ，２２４Ｍ，２２４Ｃ，２２４Ｂが備えられている。現像ユニット２２４は矢印Ｂ方向に９０°間隔で回動し、各現像装置２２４Ｙ，２２４Ｍ，２２４Ｃ，２２４Ｂのうちのいずれかを、像担持体ロール２２２に所定の微小間隔を保って近接対向させる。そして、像担持体ロール２２２に近接対向した現像装置から、像担持体ロール２２２の表面に形成された静電潜像にトナーが静電的に付着されて、像担持体ロール２２２の表面にその現像装置に対応する色のトナー像が形成される。
【００５１】
中間転写部２２６は、中間転写ベルト２２６ａが、内側に配置された張架ロール２２６ｂによって矢印Ｃ方向に移動自在に張架されて構成されている。さらに、中間転写ベルト２２６ａと像担持体ロール２２２とが最も近接する一次転写位置には一次転写ロール２２６ｃが配置されており、この一次転写ロール２２６ｃによって転写電圧が中間転写ベルト２２６ａに印加されている。像担持体ロール２２２の表面に形成されたトナー像は、一次転写位置における転写電圧によって中間転写ベルト２２６ａに転写される。
【００５２】
これから形成しようとする画像がカラー画像である場合には、まず、露光部２２１によって像担持体ロール２２２の表面にイエロー（Ｙ）用の静電潜像が形成され、その静電潜像に、現像ユニット２２４の回動によって像担持体ロール２２２に近接対向したイエローの現像装置２２４Ｙからトナーが吸着されて、像担持体ロール２２２の表面にイエローのトナー像が形成され、そのイエローのトナー像が中間転写ベルト２２６ａに転写される。その後、クリーナ２２５によって表面の残留トナーが除去された像担持体ロール２２２の表面に、露光部２２１によって像担持体ロール２２２の表面にマゼンタ（Ｍ）用の静電潜像が形成される。このときには、その静電潜像に、現像ユニット２２４の９０°回動によって像担持体ロール２２２に近接対向したマゼンタの現像装置２２４Ｍからトナーが吸着されて、像担持体ロール２２２の表面にマゼンタのトナー像が形成され、そのマゼンタのトナー像は、中間転写ベルト２２６ａ上に、既に転写されているイエローのトナー像に重ねられて転写される。そして、以下、同様の動作を経て、残るシアン（Ｃ）とブラック（Ｂ）のトナー像が中間転写ベルト２２６ａ上に順次転写される。ここで、中間転写ベルト２２６ａを移動させる張架ロール２２６ｂは、順次転写される各色のトナー像が互いに正確に重なり合うように制御部によって制御される。
【００５３】
また、これから形成しようとする画像がモノクロ画像である場合には、上記と同様の動作を経て、ブラック（Ｂ）のトナー像のみが中間転写ベルト２２６ａに転写される。
【００５４】
このような作像部２２０に記録紙を供給する媒体供給部２３０は、ロール紙２３１ａが格納されるロール紙収納部２３１と、既に裁断された記録シート２３２ａが格納されるシート収納部２３２とを備えている。
【００５５】
ロール紙収納部２３１に格納されたロール紙２３１ａは、位置決めロール２０１によって引き出されて、ロール紙カッタ２３４によって所定の寸法に裁断される。この裁断された記録紙や、シート収納部２３２から引出された記録シート２３２ａは、複数の搬送ロール２０２によって形成された搬送経路上を搬送される。ロール紙収納部２３１やシート収納部２３２からの搬送経路は、下流側で１つの経路に合流し、その１つの経路上に、搬送されてきた記録紙の余白に撮影日時などを印字する印字ヘッド２３５が配置されている。
【００５６】
余白への印字が終了した記録紙は、レジストロール２０３によって、作像部２２０の二次転写ロール２２７までタイミングを合わせて搬送され、搬送されてきた記録紙に、既に中間転写ベルト２２６ａに形成されているトナー像が転写される。その結果、この記録紙の表面にトナー像が形成される。
【００５７】
以上説明したような手順を経て、片面にトナー像が転写された記録紙は、搬送ベルト２０４によって一次定着部２４０に搬送される。この一次定着部２４０で記録紙に加熱および加圧処理が施されると、トナー像が記録紙に定着される。
【００５８】
一次定着部２４０で処理を施された記録紙は、案内部２５０によって、レジストロール２０３に向けて回送される第１搬送経路Ｌ１と、二次定着部２７０へ向かう第２搬送経路Ｌ２とに振り分けられて案内される。第１搬送経路Ｌ１は、記録紙を反転させて、初めにトナー像が定着された面とは逆の面にトナー像が定着されるように記録紙を回送するための経路であり、第２搬送経路Ｌ２は、写真画像レベルの高画質を得るためのさらなる処理を記録紙に施すための経路である。
【００５９】
画像処理装置４２０から撮影画像とともに上記の裏面画像が送られてくる場合には、オペレータによって画像の両面プリントが指定される。このときには、記録紙は、片面に撮影画像に基づくトナー像が形成された後、第１搬送経路Ｌ１に案内される。第１搬送経路Ｌ１を複数の搬送ロール２０２によって搬送されてきた記録紙は、表裏面が反転されて、レジストロール２０３に向けて回送され、さらに、二次転写ロール２２７に再搬送される。記録紙が二次転写ロール２２７に搬送されると、上述した一連の画像形成処理が記録紙の裏面に施され、その裏面に裏面画像に基づくトナー像が形成される。
【００６０】
一次定着が終了し、両面、あるいは片面にトナー像が形成された記録紙は、第２搬送経路Ｌ２に案内される。第２搬送経路Ｌ３に案内された記録紙は、第２搬送経路Ｌ２上に配置された二次定着部２７０に搬送される。
【００６１】
この二次定着部２７０では、まず、一次定着部２４０で記録紙に定着されたトナー像が加熱され溶融されるとともに、溶融されたトナー像の表面が、平滑な光沢面を有する定着ベルトに押圧される。さらに、光沢面に張り付いた状態の記録紙が冷却されることによって、記録紙上のトナー像が均一に均された状態で凝固し、写真画像に迫る光沢を有する高画質の画像が得られる。
【００６２】
二次定着部２７０を経た記録紙は、第２搬送経路Ｌ２の下流側に配置されたＸＹカッタ２８０に搬送される。ＸＹカッタ２８０は、記録紙を搬送方向に対して垂直に裁断する第１カッタ２８１と、搬送方向に沿って裁断する第２カッタ２８２とからなり、これら第１カッタ２８１および第２カッタ２８２は搬送経路上に直列に配置されている。また、第１カッタ２８１と第２カッタ２８２との間、および第２カッタ２８２の下流側には位置決めロール２０１が配置され、これらの位置決めロール２０１が、ＸＹカッタ２８０に対する記録紙の位置決めを行なう。これらの位置決めロール２０１による、記録紙の位置決めが、制御部２１０によるこれらの位置決めロール２０１に対する制御によって実行される。ＸＹカッタ２８０によって断裁された記録紙はソータ２９０にそのまま搬送され、矢印Ｄ方向に順次に回送されてくるスタック部２９１にスタックされる。
【００６３】
以上のようにして、プリンタ２００において、用紙上に写真画質を有するトナー画像が形成される。
【００６４】
次に、図２に示すサーバ１００について説明する。
【００６５】
図５は、サーバの外観斜視図であり、図６は、サーバのハードウェア構成図である。
【００６６】
このサーバ１００は、外観構成上、本体装置１１０、その本体装置１１０からの指示に応じて表示画面１２０ａ上に画像を表示する画像表示装置１２０、本体装置１１０に、キー操作に応じた各種の情報を入力するキーボード１３０、および、表示画面１２０ａ上の任意の位置を指定することにより、その位置に表示された、例えばアイコン等に応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００６７】
本体装置１１０の内部には、図６に示すように、各種プログラムを実行するＣＰＵ１１１、ハードディスク装置１１３に格納されたプログラムが読み出されＣＰＵ１１１での実行のために展開される主メモリ１１２、各種プログラムやデータ等が保存されたハードディスク装置１１３、ＦＤ１６０が装填され、その装填されたＦＤ１６０をアクセスするＦＤドライブ１１４、ＣＤ−ＲＯＭ１７０が装填され、その装填されたＣＤ−ＲＯＭ１７０をアクセスするＣＤ−ＲＯＭドライブ１１５、上記の位置情報付の撮影画像Ｇを受け取ったり、データベース３００から上記の関連情報を受け取ったりする入力インタフェース１１６、関連情報を出力する出力インタフェース１１７が内蔵されており、これらの各種要素と、さらに、図５にも示す画像表示装置１２０、キーボード１３０、マウス１４０は、バス１５０を介して相互に接続されている。
【００６８】
ここで、ＣＤ−ＲＯＭ１７０には、本発明の情報提供プログラムの第１実施形態が適用され、サーバ１００を本発明の情報提供装置の第１実施形態として動作させるための情報提供プログラムが記憶されている。この情報提供プログラムが記憶されたＣＤ−ＲＯＭ１７０が、本発明の情報提供プログラム記憶媒体の第１実施形態に相当する。そのＣＤ−ＲＯＭ１７０はＣＤ−ＲＯＭドライブ１１５に装填され、そのＣＤ−ＲＯＭ１７０に記憶された情報提供プログラムがこのサーバ１００にアップロードされてハードディスク装置１１３に記憶される。そして、この情報提供プログラムが起動されて実行されることにより、図５に示すサーバ１００が本発明の情報提供装置の第１実施形態として動作する。
【００６９】
次に、このサーバ１００内で実行される、本発明の情報提供プログラムの第１実施形態について説明する。
【００７０】
図７は、本発明の情報提供プログラムの第１実施形態が記憶された、本発明の情報提供プログラム記憶媒体の第１実施形態であるＣＤ−ＲＯＭを示す概念図である。
【００７１】
図７に示すＣＤ−ＲＯＭ１７０は、本発明の情報提供プログラムの第１実施形態である情報提供プログラム５００が記憶されたものであり、本発明の情報提供プログラム記憶媒体の第１実施形態に相当する。
【００７２】
情報提供プログラム５００は、取得部５１０、エリア決定部５２０、店舗決定部５３０、裏面画像作成部５４０、および出力部５５０で構成されている。この情報提供プログラム５００の各部の詳細については、本発明の情報提供装置の第１実施形態の各部の作用と併せて説明する。
【００７３】
図８は、図７に示す情報提供プログラムを、図５および図６に示すサーバにインストールし、サーバを本発明の情報提供装置の第１実施形態として動作させたときの機能を示す機能ブロック図である。
【００７４】
この図８には、本発明の情報提供装置の第１実施形態である情報提供装置６００の他に、図２にも示すデータベース３００が示されている。
【００７５】
図８に示す情報提供装置６００は、位置情報付の撮影画像Ｇに基づいて１つの店舗を特定する。そして、その店舗についての関連情報Ｊをデータベース３００から得て、上記の１つの店舗を示す俯瞰図を作成し、さらに、その俯瞰図と関連情報Ｊとからなる裏面画像Ｇｒを作成して出力する役割を果たす。
【００７６】
この情報提供装置６００は、取得部６１０と、エリア決定部６２０と、店舗決定部６３０と、裏面画像作成部６４０と、出力部６５０とを備えている。ここで、取得部６１０、エリア決定部６２０、店舗決定部６３０、裏面画像作成部６４０、および出力部６５０は、それぞれ本発明にいう取得部、エリア決定部、場所決定部、俯瞰図作成部、および出力部の各一例に相当する。
【００７７】
図７に示す情報提供プログラム５００を、図５および図６に示すサーバ１００にインストールすると、情報提供プログラム５００の取得部５１０は図８に示す取得部６１０を構成し、同様に、エリア決定部５２０はエリア決定部６２０を構成し、店舗決定部５３０は店舗決定部６３０を構成し、裏面画像作成部５４０は裏面画像作成部６４０を構成し、出力部５５０は出力部６５０を構成する。
【００７８】
取得部６１０には、図１に示すカメラ付携帯電話機３０による撮影で得られた位置情報付の撮影画像Ｇが、図２に示すように、撮影者がプリントを注文した写真店から通信ネットワーク２５を介して送られてくる。
【００７９】
エリア決定部６２０では、データベース３００に格納されている立体地図において、上記の位置情報が表わす、緯度、経度、および高度のうち、緯度および経度が表わす場所にある建築物が特定され、さらに、上記の高度に対応する、その建築物における１つ以上のフロアが上記の探索エリアとして決定される。
【００８０】
店舗決定部６３０では、まず、データベース３００に格納されている参照画像のうち、上記の探索エリア内の各店舗に対応付けられている各参照画像が、データベース３００から読み出される。さらに、各参照画像と撮影画像Ｇとの類似の程度がパターンマッチングによって求められる。そして、撮影画像Ｇに所定程度以上に類似した参照画像が１つ以上存在する場合には、それらの参照画像のうち、撮影画像Ｇに最も類似している１つの参照画像が対応付けられている１つの店舗が決定される。
【００８１】
裏面画像作成部６４０では、まず、店舗決定部６３０で決定された１つの店舗を含む所定範囲のエリアの立体地図であって、さらにその立体地図中に上記の１つの店舗が描き込まれた俯瞰図が、データベース３００に格納されている上記の立体地図を用いて作成される。さらに、店舗決定部６３０で決定された１つの店舗に対応付けられている関連情報Ｊがデータベース３００から読み出され、その関連情報Ｊと上記の俯瞰図とから裏面画像Ｇｒが作成される。
【００８２】
出力部６５０では、裏面画像作成部６４０で作成された裏面画像Ｇｒが、図２に示す通信ネットワーク２５を介して画像形成システム２０に出力される。
【００８３】
そして、画像形成システム２０において、撮影画像Ｇと裏面画像Ｇｒとに基づいて上記の裏プリント付写真Ｐが作成されて撮影者に提供される。
【００８４】
次に、データベース３００の詳細について説明する。
【００８５】
図９は、データベースに格納されている情報の一例を示す図である。
【００８６】
この図９に示すように、データベース３００には、以下に説明する、エリア情報３０１、建築物情報３０２、高度情報３０３、フロア情報３０４、店舗情報３０５、参照画像３０６、および店舗関連情報３０７が、相互に関連付けられて格納されている。また、このデータベース３００には、上述した立体地図も格納されている。
【００８７】
エリア情報３０１は、建物や道路等が存在しているエリアを、上記の立体地図における緯度および経度それぞれの範囲で示すものである。例えば、図９に示すように、Ａビルが建てられているエリアは、（ｘ１S〜ｘ１E，ｙ１S〜ｙ１E）という緯度および経度それぞれの範囲で示され、同様に、Ｂデパートが建てられているエリアは、（ｘ２S〜ｘ２E，ｙ２S〜ｙ２E）という範囲で示され、Ｃ通りがあるエリアは、（ｘ３S〜ｘ３E，ｙ３S〜ｙ３E）という範囲で示されている。さらに、データベース３００では、各エリア情報３０１には、そのエリア情報３０１が示すエリアにある建物や道路等の名称を表わす建築物情報３０２が対応付けられている。
【００８８】
また、上記の建築物情報３０２のうち、例えばビルやデパート等といった階層構造を有する建物の名称を表わす建築物情報３０２には、それらの建物の各フロアの高さを上記の立体地図における高度で表わす高度情報３０３が、その建物が有するフロア数だけ対応付けられている。さらに、各高度情報３０３には、その高度情報３０３が表わす高度に対応するフロアを示すフロア情報３０４が対応付けられている。
【００８９】
また、各フロア情報３０４には、例えばＴ中華料理店やＳ銀行等といった、そのフロアにある様々な店舗それぞれを示す店舗情報３０５が、そのフロアにある店舗数だけ対応付けられている。
【００９０】
また、各店舗情報３０５には、その店舗情報３０５が示す店舗の特徴を表わす、例えば店舗の看板や外観等を捉えた１つ以上の参照画像３０６と、例えばその店舗の住所や電話番号や営業時間等といった、その店舗に関する１つ以上の店舗関連情報３０７とが対応付けられている。
【００９１】
図８に示す情報提供装置６００では、位置情報付の撮影画像Ｇに基づいて１つの店舗が特定される。そして、その店舗を示す店舗情報３０５に対応付けられている店舗関連情報３０７がデータベース３００から読み出される。この店舗関連情報３０７が、図８では関連情報Ｊとして記載された、本発明にいう関連情報の一例に相当する。
【００９２】
次に、情報提供装置６００で実行される店舗特定の概要について説明する。
【００９３】
図１０は、図８に示す情報提供装置による店舗特定の概要を示す模式図であり、図１１は、図１０に示す店舗特定の概要を立体地図上で示した図である。なお、以下の説明では、図８および図９に示す要素を特に図番を断らずに参照する。
【００９４】
情報提供装置６００に位置情報付の撮影画像が送られてくると、以下に説明する３つの段階によって、１つの店舗の特定が行なわれ、特定された店舗についての店舗関連情報３０７がデータベース３００から読み出される。
【００９５】
まず、第１段階（ステップＳ１）では、撮影画像に付加されている位置情報のうち緯度と経度の情報（ｘ，ｙ）が用いられる。この第１段階（ステップＳ１）では、複数のエリア情報３０１の中から、上記の緯度と経度の情報（ｘ，ｙ）が表わす位置を含むエリアを表わすエリア情報３０１が探索され、探索されたエリア情報３０１に対応付けられている建築物情報３０２が取得される。図１０および図１１の例では、Ｂデパートを表わす建築物情報３０２が取得されている。
【００９６】
次に、第２段階（ステップＳ２）では、上記の位置情報のうち高度の情報（ｚ）が用いられる。この第２段階（ステップＳ２）では、まず、この高度の情報（ｚ）が表わす高度を含む所定の高度範囲が、上記のＧＰＳにおいて予測される誤差に応じて設定され、上記の第１段階（ステップＳ１）の処理で取得された建築物情報３０２に対応付けられている複数の高度情報３０３の中から、この高度範囲に含まれる高度情報３０３が全て探索される。そして、探索された高度情報３０３に対応付けられているフロア情報３０４が取得される。この第２段階（ステップＳ２）では、上記の高度範囲に含まれる高度情報３０３が全て探索されることにより、上記の高度の情報（ｚ）に誤差が含まれていたとしても、撮影者によって実際に撮影が行なわれたフロアを見落とすことなく、そのフロアを含む数フロア分のフロア情報３０４が取得される。さらに、この第２段階（ステップＳ２）では、取得された数フロア分のフロア情報３０４それぞれに対応付けられている複数の店舗情報３０５について、各店舗情報３０５に対応付けられている参照画像３０６がデータベース３００から読み出される。図１０および図１１の例では、５階および６階のフロア情報３０４が取得され、それらのフロアの店舗に対応する参照画像３０６が読み出されている。
【００９７】
次に、第３段階（ステップＳ３）では、第２段階（ステップＳ２）で読み出された複数の参照画像３０６の中に撮影画像に所定程度以上に類似しているものが１つ以上ある場合に、それらの参照画像３０６のうち撮影画像に最も類似している参照画像３０６が決定されることにより１つの店舗が特定される。図１０および図１１の例では、Ｔ中華料理店が、この１つの店舗として特定されている。
【００９８】
以上のように、店舗が特定されると、情報提供装置６００は、その店舗に関する店舗関連情報３０７をデータベース３００から読み出して上記の裏面画像を作成する。
【００９９】
次に、図１０および図１１を参照して概要を説明した店舗特定の処理の詳細を、以下のフローチャートを参照して説明する。なお、以下の説明でも、図８および図９に示す要素を特に図番を断らずに参照する。
【０１００】
図１２は、店舗特定の処理を示すフローチャートである。
【０１０１】
このフローチャートが示す処理は、図２に示すカメラ付携帯電話機３０を用いて撮影者が得た位置情報付の撮影画像が、写真店から通信ネットワーク２５（図２参照）を介して情報取得装置６００に送られてくるとスタートする。
【０１０２】
処理がスタートすると、まず、撮影画像Ｇが受け取られる（ステップＳ１０１）。続いて、上述した緯度と経度の情報（ｘ，ｙ）と、高度の情報（ｚ）とによって、撮影者によって撮影が行なわれた建物と、その建物において撮影が行なわれた可能性のある数フロアとが求められ、さらに、それら数フロアにある複数の店舗それぞれに対応付けられている参照画像３０６がデータベース３００から読み出される（ステップＳ１０２）。
【０１０３】
続いて、ステップＳ１０２の処理で読み出された各参照画像３０６と撮影画像との類似の程度が求められ、撮影画像に所定程度以上に類似しており、かつその撮影画像に最も類似している１つの参照画像３０６の決定が試みられる（ステップＳ１０３）。そして、このステップＳ１０３の処理によって、１つの参照画像３０６が決定されたか否かが判定される（ステップＳ１０４）。
【０１０４】
１つの参照画像３０６が決定された場合（ステップＳ１０４の処理におけるＹｅｓ判定）には、その１つの参照画像３０６に対応している店舗が、撮影画像に撮影されている被写体が特徴を表わす１つの店舗として特定される（ステップＳ１０５）。さらに、その１つの店舗を示す店舗情報３０５に対応付けられている店舗関連情報３０７がデータベース３００から読み出されて（ステップＳ１０６）、このフローチャートが示す処理が終了する。
【０１０５】
一方、ステップＳ１０３の処理によって、撮影画像に所定程度以上に類似している参照画像３０６が見つからず、１つの参照画像３０６が決定されなかった場合（ステップＳ１０４の処理におけるＮｏ判定）には、写真店に向けて、店舗をどうしても１つに特定する必要があるかか否かを問うメッセージが送信される（ステップＳ１０７）。
【０１０６】
ステップＳ１０７の処理で送信されたメッセージに対する返信内容が、店舗の特定が必要である旨を示すものであった場合（ステップＳ１０６の処理におけるＹｅｓ判定）には、写真店に向けて、店舗を特定できる別の撮影画像を送信するか、あるいは、この段階で得られている参照画像３０６の中から、店舗を特定するための参照画像を１つ選んでその参照画像３０６を送り返すか、いずれかを実行するように促すメッセージが送信される（ステップＳ１０８）。また、このメッセージとともに、この段階で得られている参照画像３０６の候補が送信される。そして、このステップＳ１０８の処理で送信されたメッセージに対して再度送信されてきた撮影画像、あるいは送り返されてきた参照画像３０６の受取りが行なわれる（ステップＳ１０９）。
【０１０７】
その後、ステップＳ１０９で受け取られた撮影画像あるいは参照画像が用いられて、ステップＳ１０３の処理による１つの参照画像３０６の決定が再び試みられる。このステップＳ１０３の処理は、ステップＳ１０４の処理において１つの参照画像３０６が決定されたと判定され、上述したステップＳ１０４〜ステップＳ１０６の処理を経て、このフローチャートが示す処理が終了するか、あるいは、ステップＳ１０６の処理で送信されたメッセージに対して、店舗の特定が必要ではない旨を示すメッセージが返信されてくる（ステップＳ１０６の処理におけるＮｏ判定）か、あるいは、ステップＳＳ１０９の処理で、候補として送られた参照画像３０６のうちの１つが送り返されてくるまで繰り返される。ここで、ステップＳ１０９で受け取られた画像が、候補として送られた参照画像３０６のうちの１つであった場合には、ステップＳ１０３の処理によってその参照画像３０６が１つの参照画像３０６として決定されるので、上述したステップＳ１０４〜ステップＳ１０６の処理を経てこのフローチャートが示す処理が終了することとなる。
【０１０８】
また、ステップＳ１０７の処理で送信されたメッセージに対する返信内容が、店舗の特定が必要ではない旨を示すものであった場合（ステップＳ１０７の処理におけるＮｏ判定）には、この段階で得られている参照画像３０６の候補それぞれに対応付けられている店舗全てについての店舗関連情報３０７がデータベース３００から読み出され（ステップＳ１１０）、このフローチャートが示す処理が終了する。
【０１０９】
以上に説明した処理において、１つの店舗が特定され、その店舗についての店舗関連情報３０７がデータベース３００から読み出された場合には、俯瞰図と店舗関連情報３０７とからなる裏面画像が作成される。
【０１１０】
図１３は、撮影画像の一例と、その撮影画像についての裏面画像の一例とを示す図である。図１３のパート（ａ）には、撮影画像の一例が示され、図１３のパート（ｂ）には、裏面画像の一例が示されている。
【０１１１】
図１３のパート（ａ）に示す撮影画像Ｇは、店舗の看板を捉えた画像であり、図１３のパート（ｂ）に示す裏面画像Ｇｒは、その店舗の位置を所定範囲の立体地図中の点Ｍ１で示す俯瞰図Ｍと、その店舗についての店舗関連情報３０７とからなる画像である。
【０１１２】
上記の店舗特定の処理によって１つの店舗が特定されると、データベース３００に格納されている立体地図のうちの、その店舗を含む所定範囲の部分に、その店舗の位置を表わす点Ｍ１が配置されて俯瞰図Ｍが作られる。裏面画像Ｇｒは、図１３のパート（ｂ）に示すように、この俯瞰図Ｍの右側に店舗関連情報３０７が記載されてなるものである。この裏面画像Ｇｒは、図２に示すように通信ネットワーク２５を介して写真店の画像形成システム２０に送られる。そして、画像形成システム２０において、撮影画像Ｇと裏面画像Ｇｒとに基づいて裏プリント付写真Ｐが作成される。
【０１１３】
一方、上記の店舗特定の処理によっても１つの店舗が特定されず、複数の店舗候補についての店舗関連情報３０７がデータベース３００から読み出された場合には、プリントスペースの関係から上記の俯瞰図が省略され、複数の店舗関連情報３０７が列記されてなる裏面画像Ｇｒが作成されて写真店の画像形成システム２０に送られる。画像形成システム２０では、撮影画像Ｇとこの裏面画像Ｇｒとに基づいて関連情報の列記からなる裏面画像がプリントされた裏プリント付写真Ｐが作成される。
【０１１４】
以上、図１〜図１３を参照して説明した本発明の第１実施形態によれば、撮影画像に撮影されている被写体が特徴を表わす店舗を高い確度で特定し、その店舗についての情報を取得し、その情報を元に上記の裏プリント付写真という高い付加価値が付けられた写真を作成して顧客に提供することができる。
【０１１５】
次に、本発明の情報提供装置、情報提供プログラム、および情報提供プログラム記憶媒体それぞれの第２実施形態について説明する。
【０１１６】
ここで、上述した本発明の情報提供装置、情報提供プログラム、および情報提供プログラム記憶媒体それぞれの第１実施形態は、写真店から渡された位置情報付の撮影画像に基づいて１つの店舗を特定し、その店舗についての店舗関連情報を取得し、その店舗関連情報から裏面画像を作成して画像形成システムに送り、画像形成システムで裏プリント付写真を作成するという、本発明のプリントシステムの一実施形態である情報提供システム１（図２参照）に則した形態となっている。
【０１１７】
これに対し、以下に説明する本発明の情報提供装置、情報提供プログラム、および情報提供プログラム記憶媒体それぞれの第２実施形態は、撮影者が持つカメラ付携帯電話機３０（図１参照）から位置情報付の撮影画像を渡され、その撮影画像に基づいて１つの店舗を特定し、その店舗についての店舗関連情報を取得し、その店舗関連情報を撮影者のカメラ付携帯電話機３０に送るという、上記の情報提供システム１とは異なる情報提供システムに則した形態となっている。
【０１１８】
図１４は、撮影者が持つカメラ付携帯電話機から位置情報付の撮影画像を渡され、その撮影画像に基づいて１つの店舗を特定し、その店舗についての店舗関連情報を取得し、その店舗関連情報を撮影者のカメラ付携帯電話機に送る情報提供システムを示すブロック図である。
【０１１９】
この情報提供システム２は、図２に示すサーバ１００およびデータベース３００それぞれと同等なサーバおよびデータベースを備えている。そこで、図１４では、これらのサーバおよびデータベースに図２と同じ符号を付し、重複説明を省略する。
【０１２０】
情報提供システム２は、サーバ１００、データベース３００、および通信ネットワーク３５で構成されている。ここで、通信ネットワーク３５は、携帯電話機の通信網を含むものであり、カメラ付携帯電話機３０とサーバ１００との間での情報の経路となっている。また、サーバ１００は、内部で後述の本発明の情報提供プログラムの第２実施形態が起動されて実行されることにより、本発明の情報提供装置の第２実施形態として動作するものである。
【０１２１】
この図１４に示す情報提供システム２では、撮影者は、カメラ付携帯電話機３０を用いて、ある店舗の特徴を表わす看板等といった被写体を撮影して位置情報付の撮影画像Ｇを得ると、その撮影画像Ｇを、本発明の情報提供装置の第２実施形態として動作しているサーバ１００に通信ネットワーク３５を介して送る。すると、そのサーバ１００において、１つの店舗が特定され、その１つの店舗についての関連情報Ｊがデータベース３００から読み出され、その関連情報Ｊが、サーバ１００からカメラ付携帯電話機３０に通信ネットワーク３５を介して送られる。このように、この実施形態では、撮影者は、カメラ付携帯電話機３０で撮影した被写体が特徴を表わす店舗についての関連情報Ｊを、そのカメラ付携帯電話機３０で取得することができる。
【０１２２】
次に、本発明の情報提供プログラムの第２実施形態について説明する。
【０１２３】
図１５は、本発明の情報提供プログラムの第２実施形態が記憶された、本発明の情報提供プログラム記憶媒体の第２実施形態であるＣＤ−ＲＯＭを示す概念図である。
【０１２４】
図１５に示すＣＤ−ＲＯＭ１８０は、本発明の情報提供プログラムの第２実施形態である情報提供プログラム７００が記憶されたものであり、本発明の情報提供プログラム記憶媒体の第２実施形態に相当する。ここで、図１５では、図７に示す要素と同等な要素については図７と同じ符号が付されている。
【０１２５】
情報提供プログラム７００は、取得部７１０、エリア決定部５２０と、店舗決定部５３０と、情報読出部７２０、および出力部７３０で構成されている。この情報提供プログラム７００の各部の詳細については、本発明の情報提供装置の第２実施形態の各部の作用と併せて説明する。
【０１２６】
図１６は、図１５に示す情報提供プログラムを、図５および図６に示すサーバにインストールし、サーバを本発明の情報提供装置の第２実施形態として動作させたときの機能を示す機能ブロック図である。ここで、図１６では、図８に示す要素と同等な要素については図８と同じ符号が付され、以下ではこれらの要素についての重複説明を省略する。
【０１２７】
この図１６には、本発明の情報提供装置の第２実施形態である情報提供装置８００の他に、図２および図１４にも示すデータベース３００が示されている。
【０１２８】
図１６に示す情報提供装置８００は、位置情報付の撮影画像Ｇに基づいて１つの店舗を特定し、その店舗についての関連情報Ｊをデータベース３００から得て出力する役割を果たす。
【０１２９】
この情報提供装置８００は、取得部８１０と、エリア決定部６２０と、店舗決定部６３０と、情報読出部８２０と、出力部８３０とを備えている。ここで、本実施形態における取得部８１０および出力部８３０は、それぞれ本発明にいう取得部および出力部の各一例に相当する。
【０１３０】
図１５に示す情報提供プログラム７００を、図５および図６に示すサーバ１００にインストールすると、情報提供プログラム７００の取得部７１０は図１６に示す取得部８１０を構成し、同様に、情報読出部７２０は情報読出部８２０を構成し、出力部７３０は出力部８３０を構成する。
【０１３１】
取得部８１０には、図１４に示すように、カメラ付携帯電話機３０による撮影で得られた位置情報付の撮影画像Ｇが、そのカメラ付携帯電話機３０から通信ネットワーク３５を介して送られてくる。
【０１３２】
そして、この情報提供装置８００を構成するエリア決定部６２０と店舗決定部６３０とにおいて１つの店舗が特定される。
【０１３３】
情報読出部８２０では、特定された店舗についての関連情報Ｊ（図９における店舗関連情報３０７に相当）がデータベース３００から読み出される。
【０１３４】
出力部８３０では、情報読出部８２０によって読み出された関連情報Ｊが、通信ネットワーク３５を介して上記のカメラ付携帯電話機３０に送られる。
【０１３５】
ここで、本発明の情報提供装置の第１実施形態と同様に、本発明の情報提供装置の第２実施形態においても、上記のエリア決定部６２０と店舗決定部６３０では、位置情報付の撮影画像Ｇによっては、店舗が幾つかの候補までしか特定されないことがある。このような場合、本実施形態では、どうしても店舗を１つに特定するか否かが、カメラ付携帯電話機３０のユーザに問い合わされる。
【０１３６】
ユーザからの返答が、どうしても店舗の特定を望むというものであった場合には、ユーザに対して次の２種類の処理のうちいずれかを実行するように指示が出される。即ち、処理の１つは、別の撮影画像Ｇを送るというものであり、もう１つは、情報提供装置８００から現段階で特定されている候補に対応する参照画像を送り、その中から１つの参照画像を選んで送り返すというものである。このような処理を経て１つの店舗が特定されると、その店舗についての関連情報Ｊがカメラ付携帯電話機３０に送られる。
【０１３７】
一方、ユーザからの返答が、店舗の特定は現段階までで良いというものであった場合には、現段階で特定されている候補についての関連情報Ｊの全てが情報読出部８２０によってデータベース３００から読み出され、それら全ての関連情報Ｊがカメラ付携帯電話機３０に送られることとなる。
【０１３８】
以上、図１４〜図１６を参照して説明した本発明の第２実施形態によれば、撮影者が持つ上記のカメラ付携帯電話機３０から送られてきた位置情報付の撮影画像Ｇに基づいて１つの店舗を高い確度で特定し、その店舗についての情報をカメラ付携帯電話機３０に送るという形で顧客に提供することができる。
【０１３９】
尚、上記では、本発明のプリントシステムの一実施形態として、記録紙の一方の面に撮影画像がプリントされ、その面の裏面に上記の裏面画像がプリントされてなる裏プリント付の写真を作成する情報提供システム１を挙げて説明したが、本発明はこれに限るものではない。本発明のプリントシステムは、例えば、撮影画像がプリントされた写真と、関連情報がプリントされた記録紙との組を作成するものであっても良く、あるいは、上記の裏プリント付の写真と、写真と記録紙との組とのうち、顧客が希望する方を作成するもの等であっても良い。
【０１４０】
また、上記では、本発明の情報提供装置の一実施形態として、撮影画像に基づいて１つの店舗を特定する２種類の情報提供装置６００，８００を例示したが、本発明はこれに限るものではなく、本発明の情報提供装置は、撮影画像に撮影されている被写体が特徴を表わす対象一般を特定するものであっても良い。その場合には、そのような対象一般に対応付けられた参照画像や関連情報が格納されたデータベースが用意されることとなる。
【０１４１】
また、上記では、本発明にいう関連情報の一例として、例えば店舗の住所や営業時間等といった文字情報を挙げたが、本発明はこれに限るものではなく、本発明にいう関連情報は、例えば店舗の外観や新製品等を捉えた画像等であっても良い。
【図面の簡単な説明】
【０１４２】
【図１】撮影者が撮影画像と位置情報とを取得する様子を示す模式図である。
【図２】本発明のプリントシステムの一実施形態である情報提供システムを示すブロック図である。
【図３】撮影画像をプリントする画像形成システムの外観斜視図である。
【図４】図３に示すプリンタの内部構造を示す模試図である。
【図５】サーバの外観斜視図である。
【図６】サーバのハードウェア構成図である。
【図７】本発明の情報提供プログラムの第１実施形態が記憶された、本発明の情報提供プログラム記憶媒体の第１実施形態であるＣＤ−ＲＯＭを示す概念図である。
【図８】図７に示す情報提供プログラムを、図５および図６に示すサーバにインストールし、サーバを本発明の情報提供装置の第１実施形態として動作させたときの機能を示す機能ブロック図である。
【図９】データベースに格納されている情報の一例を示す図である。
【図１０】図８に示す情報提供装置による店舗特定の概要を示す模式図である。
【図１１】図１０に示す店舗特定の概要を立体地図上で示した図である。
【図１２】店舗特定の処理を示すフローチャートである。
【図１３】撮影画像の一例と、その撮影画像についての裏面画像の一例とを示す図である。
【図１４】撮影者が持つカメラ付携帯電話機から位置情報付の撮影画像を渡され、その撮影画像に基づいて１つの店舗を特定し、その店舗についての店舗関連情報を取得し、その店舗関連情報を撮影者のカメラ付携帯電話機に送る情報提供システムを示すブロック図である。
【図１５】本発明の情報提供プログラムの第２実施形態が記憶された、本発明の情報提供プログラム記憶媒体の第２実施形態であるＣＤ−ＲＯＭを示す概念図である。
【図１６】図１５に示す情報提供プログラムを、図５および図６に示すサーバにインストールし、サーバを本発明の情報提供装置の第２実施形態として動作させたときの機能を示す機能ブロック図である。
【符号の説明】
【０１４３】
１，２    情報提供システム
２０    画像形成システム
２５，３５    通信ネットワーク
３０    カメラ付携帯電話機
１００    サーバ
１１０    本体装置
１１１    ＣＰＵ
１１２    主メモリ
１１３    ハードディスク装置
１１４    ＦＤドライブ
１１５    ＣＤ−ＲＯＭドライブ
１１６    入力インタフェース
１１７    出力インタフェース
１１０ａ    ＦＤ装填口
１１０ｂ    ＣＤ−ＲＯＭ装填口
１２０    画像表示装置
１２０ａ    表示画面
１３０    キーボード
１４０    マウス
１５０    バス
１６０    ＦＤ
１７０    ＣＤ−ＲＯＭ
２００    プリンタ
２０１    位置決めロール
２０２    搬送ロール
２０３    レジストロール
２０４    搬送ベルト
２１０    制御部
２１１    レーザ光変調部
２２０    作像部
２２１    露光部
２２２    像担持体ロール
２２３    帯電ロール
２２４    現像ユニット
２２４Ｙ，２２４Ｍ，２２４Ｃ，２２４Ｂ    現像装置
２２５    クリーナ
２２６    中間転写部
２２６ａ    中間転写ベルト
２２６ｂ    張架ロール
２２６ｃ    一次転写ロール
２２７    二次転写ロール
２３０    媒体供給部
２３１    ロール紙収納部
２３１ａ    ロール紙
２３２    シート収納部
２３２ａ    記録シート
２３４    ロール紙カッタ
２３５    印字ヘッド
２４０    一次定着部
２５０    案内部
２７０    二次定着部
２８０    ＸＹカッタ
２８１    第１カッタ
２８２    第２カッタ
２９０    ソータ
２９１    スタック部
３００    データベース
３０１    エリア情報
３０２    建築物情報
３０３    高度情報
３０４    フロア情報
３０５    店舗情報
３０６    参照画像
３０７    店舗関連情報
４００    画像入力機
４１０    スキャナ
４２０    画像処理装置
４３０    ＣＲＴディスプレイ
４４０    キーボード
４５０    マウス
４６０    本体
５００    情報提供プログラム
５１０    取得部
５２０    エリア決定部
５３０    店舗決定部
５４０    裏面画像作成部
５５０    出力部
６００    情報提供装置
６１０    取得部
６２０    エリア決定部
６３０    店舗決定部
６４０    裏面画像作成部
６５０    出力部
７００    情報提供プログラム
７１０    取得部
７２０    情報読出部
７３０    出力部
８００    情報提供装置
８１０    取得部
８２０    情報読出部
８３０    出力部
【図１】
2006202136.tif 000003
【図２】
2006202136.tif 000004
【図３】
2006202136.tif 000005
【図４】
2006202136.tif 000006
【図５】
2006202136.tif 000007
【図６】
2006202136.tif 000008
【図７】
2006202136.tif 000009
【図８】
2006202136.tif 000010
【図９】
2006202136.tif 000011
【図１０】
2006202136.tif 000012
【図１１】
2006202136.tif 000013
【図１２】
2006202136.tif 000014
【図１３】
2006202136.tif 000015
【図１４】
2006202136.tif 000016
【図１５】
2006202136.tif 000017
【図１６】
2006202136.tif 000018